(57)【要約】【課題】不正の再使用を防止することができるリストバンド型非接触データキャリアを提供する。【解決手段】本発明の再利用不可能なリストバンド型非接触データキャリアは、リストバンド型にした非接触データキャリアのバンド部分に、導電性材料によるコイル状アンテナ３を印刷し、コイル状アンテナに非接触ＩＣチップ２を装着したデータキャリア１ａであって、当該データキャリアを手首に取り付ける際は、バンドの一端部に塗着した粘着剤部９をバンドの他端部に重ね合わせて圧着固定するリストバンド型非接触データキャリアにおいて、データキャリアを手首から取り外しすると、当該粘着剤部にかかる部分のコイル状アンテナの一部が剥離性にされているため破損するか、または、当該粘着剤部にかかる部分のＩＣチップ２装着部が剥離性にされているため破損して、非接触通信機能を失う、ことを特徴とする。【選択図】    図１
2005043978.tif 000002
【特許請求の範囲】
【請求項１】
リストバンド型にした非接触データキャリアのバンド部分に、導電性材料によるコイル状アンテナを印刷し、コイル状アンテナに非接触ＩＣチップを装着したデータキャリアであって、当該データキャリアを手首に取り付ける際は、バンドの一端部に塗着した粘着剤部をバンドの他端部に重ね合わせて圧着固定するリストバンド型非接触データキャリアにおいて、データキャリアを手首から取り外しすると、当該粘着剤部にかかる部分のコイル状アンテナの一部が剥離性にされているために破損し、それにともない非接触通信機能を失う、ことを特徴とする再利用不可能なリストバンド型非接触データキャリア。
【請求項２】
リストバンド型にした非接触データキャリアのバンド部分に、導電性材料によるコイル状アンテナを印刷し、コイル状アンテナに非接触ＩＣチップを装着したデータキャリアであって、当該データキャリアを手首に取り付ける際は、バンドの一端部に塗着した粘着剤部をバンドの他端部に重ね合わせて圧着固定するリストバンド型非接触データキャリアにおいて、データキャリアを手首から取り外しすると、当該粘着剤部にかかる部分のＩＣチップ装着部が剥離性にされているために破損し、それにともない非接触通信機能を失う、ことを特徴とする再利用不可能なリストバンド型非接触データキャリア。
【発明の詳細な説明】
【０００１】
【発明の属する技術分野】
この発明は、リストバンド型非接触データキャリアに関する。
詳しくは、イベントやアミューズメント施設のチケット等として、近年使用されているリストバンド型非接触データキャリアの不正使用防止技術に関する。
従って、本発明の属する技術分野は、リストバンド型非接触データキャリアの製造やその利用分野に関する。
【０００２】
【従来技術】
リストバンド型非接触データキャリアは、特許文献１等において携帯可能な電子媒体として提案され、イベント会場やアミューズメント施設におけるチケット等として実用されるようになってきている。
このものは、チケットをデータとして保持し近接したリーダライタと非接触で交信できるため、チケットの認証や決済を人手を介さずに行える利点を備える。
また、利用者は、チケットや現金を意識的に携行する煩わしさから開放される利便性を備える。
【０００３】
リストバンド型の非接触データキャリアは、各種の実施形態があり高機能のものは、（１）非接触データ通信機能を行うためのアンテナと送受信手段を有し、（２）保持するデータ内容を視認可能に表示する表示部を有し、（３）非接触データ通信により外部から得られた情報に基づいてデータ内容を演算処理し、記憶する機能を有し、（４）時計機能、警報機能と、（５）リストバンドを有している。これらについては、特許文献１、特許文献２等に記載されている。
【０００４】
一方、簡易な構成のリストバンド型非接触データキャリアは、表示部および／または時計機能、警報機能を省略した構成となっている。ただし、簡易な構成であっても非接触交信を行い、チケットや関連のデータ記憶し、決済処理することが可能である。
簡易な構成のリストバンド型非接触データキャリアの例は、特許文献３、特許文献４等に記載されている。
【０００５】
【特許文献１】特開平１１−１８４９９９号公報
【特許文献２】特開２００１−６００７号公報
【特許文献３】特開平８−２８２１６４号公報
【特許文献４】特開１１−１８８１０号公報
【０００６】
【発明が解決しようとする課題】
しかし、上記のようなリストバンド型非接触データキャリアは、使用後もデータキャリアとしての機能を失わせることができないので、悪意の者により不正に再利用される場合が生じる。
そこで、本願発明者は、リストバンドを取り外しすると、非接触データキャリアの機能が失われる構造を研究して本発明の完成に至ったものである。
【０００７】
【課題を解決するための手段】
上記課題を解決するための本発明の要旨の第１は、リストバンド型にした非接触データキャリアのバンド部分に、導電性材料によるコイル状アンテナを印刷し、コイル状アンテナに非接触ＩＣチップを装着したデータキャリアであって、当該データキャリアを手首に取り付ける際は、バンドの一端部に塗着した粘着剤部をバンドの他端部に重ね合わせて圧着固定するリストバンド型非接触データキャリアにおいて、データキャリアを手首から取り外しすると、当該粘着剤部にかかる部分のコイル状アンテナの一部が剥離性にされているために破損し、それにともない非接触通信機能を失う、ことを特徴とする再利用不可能なリストバンド型非接触データキャリア、にある。
【０００８】
上記課題を解決するための本発明の要旨の第２は、リストバンド型にした非接触データキャリアのバンド部分に、導電性材料によるコイル状アンテナを印刷し、コイル状アンテナに非接触ＩＣチップを装着したデータキャリアであって、当該データキャリアを手首に取り付ける際は、バンドの一端部に塗着した粘着剤部をバンドの他端部に重ね合わせて圧着固定するリストバンド型非接触データキャリアにおいて、データキャリアを手首から取り外しすると、当該粘着剤部にかかる部分のＩＣチップ装着部が剥離性にされているために破損し、それにともない非接触通信機能を失う、ことを特徴とする再利用不可能なリストバンド型非接触データキャリア、にある。
【０００９】
【発明の実施の形態】
本発明の再利用不可能なリストバンド型非接触データキャリア（以下、「リストバンド型データキャリア」とも表現する。）について図面を参照して説明する。本発明のリストバンド型データキャリアは、簡易な構成のものであって、表示部等を持たず、単に非接触通信機能とデータ保持および演算処理機能を有するものとする。
図１は、リストバンド型データキャリアの第１実施形態を説明する図、図２は、同第２実施形態を説明する図、図３は、リストバンド型データキャリアの第１実施形態の使用状態を説明する図、図４は、同第２実施形態の使用状態を説明する図、である。
【００１０】
図１のように、本発明のリストバンド型データキャリア１ａは、帯状バンド４の外形形状からなっている。ただし、図１のように長矩形状にすることには限らず、手首に取り付けしコイル状アンテナを形成できれば、長楕円形状やその他の形状であってもよい。帯状バンド４には、外部リーダライタと非接触通信するためのコイル状アンテナパターン３が印刷され、当該アンテナパターンの両端部には非接触ＩＣチップ２が実装されている。
帯状バンド４は、手首の周囲に巻き付けして固定できる長さを有し、バンドの一端部に塗着した粘着剤部９にバンドの他端部背面を重ねて圧着することで、手首に取り付けできるようになっている。第１実施形態では、非接触ＩＣチップ２は、ほぼ帯状バンド４の中央部に実装されている。
【００１１】
リストバンド型データキャリア１ａの非接触通信機能は、コイル状アンテナパターン３と非接触ＩＣチップ２により達成されるが、非接触ＩＣチップ２は、厚み０．５ｍｍ以下で、１〜２ｍｍ角程度の微小のものであるのであるので、リストバンド型データキャリア１ａの平面外観にはあまり影響を与えない。
ただし、非接触ＩＣチップはラベル状にしたものを実装する場合もある。
また、帯状バンドやそのアンテナを保護する被覆フィルムに印刷して装飾的外観を備えさせることは自由である。
【００１２】
バンド基材には、プラスチックシートや耐水性の紙材料、合成紙、不織布等を使用できるが、コイル状アンテナは平滑な面に印刷することが必要なので、不織布等の非平滑材料を使用する場合は、平滑な基材に印刷したコイル状アンテナとラミネートした基材を使用する必要がある。
アンテナ面を保護する目的で、コイル状アンテナパターン３の印刷面をプラスチック薄層フィルムで被覆するのが好ましい。
【００１３】
第１実施形態のリストバンド型データキャリア１ａの特徴は、手首に取り付けた際、コイル状アンテナの粘着剤部９に接する部分の一部を剥離層６として脆弱部としていることにある。そのため、帯状バンド４の一端部に塗着した粘着剤部９をバンドの他端部に重ね合わせて圧着固定してから、リストバンド型データキャリア１ａを手首から取り外しすると、当該粘着剤部にかかる部分のコイル状アンテナパターン３の一部が破損して、それにともない非接触通信機能を失うことにある。
【００１４】
図３は、第１実施形態のリストバンド型データキャリア１ａの使用状態を示している。図３（Ａ）は、手首（不図示）に巻いた円環状のデータキャリア１ａの圧着固定した部分を示し、図３（Ｂ）は、そのＡ−Ａ線断面拡大図、図３（Ｃ）は圧着固定した部分を取り外した状態を示している。
図３（Ａ）（Ｂ）のように、帯状バンド４は部分４Ｃが圧着して固定する領域であって、バンドの左端４Ｌ部は右端４Ｒ部裏面の粘着剤部９によって当該部分を重ねて圧着固定できるようになっている。
コイル状アンテナパターン３は帯状バンドの左側部分から中央部分にかけて形成され、その一部はバンド基材の剥離層６面上に印刷されている。圧着固定時、部分４Ｃは右端４Ｒ部分の下側に位置するようになる。
【００１５】
図３（Ｂ）のように、バンド基材の一部には剥離層６が塗工されていて、アンテナパターンの一部３Ｐが当該層上を通るようにされている。バンドの右端部４Ｒの粘着剤部９を一度圧着してから剥離すると、粘着剤部９と剥離層６が接触するので、当該アンテナパターンの一部３Ｐが剥離層６と共に剥がれて破損するので、アンテナの機能を失うことになる。
したがって、一旦、手首に取り付けた場合は退場するまでは、不用意に外れないようにするか取り外ししないようにする。
図３（Ｃ）は、圧着固定した部分を外した状態であるが、アンテナパターンの一部３Ｐが破損して粘着剤部９に付着することを示している。
【００１６】
図２は、第２実施形態のリストバンド型データキャリア平面図である。
図２のように、リストバンド型データキャリア１ｂは、第１実施形態と同様に帯状バンド４の外形からなっている。外部リーダライタと非接触通信するためのコイル状アンテナパターン３が印刷され、アンテナパターン３の両端部には非接触ＩＣチップ２が実装されているのも同様である。
第２実施形態では、非接触ＩＣチップ２が剥離層６の上に装着されている。
【００１７】
第２実施形態のリストバンド型データキャリア１ｂの特徴は、手首に取り付けた際、コイル状アンテナの粘着剤部９に接する部分の一部を剥離層６として脆弱性にしていることにある。そのため、帯状バンド４の一端部に塗着した粘着剤部９をバンドの他端部に重ね合わせて圧着固定してから、リストバンド型データキャリア１ｂを手首から取り外しすると、当該剥離層上の非接触ＩＣチップ２が破損して、それにともない非接触通信機能を失うことにある。
【００１８】
図４は、第２実施形態のリストバンド型データキャリア１ｂの使用状態を示している。図４（Ａ）は、手首（不図示）に巻いた円環状のデータキャリア１ｂの圧着固定した部分を示し、図４（Ｂ）は、そのＡ−Ａ線断面拡大図、図４（Ｃ）は圧着固定した部分を外した状態を示している。
図４（Ａ）（Ｂ）のように、帯状バンド４は部分４Ｃが圧着して固定する領域であって、バンドの左端４Ｌ部は右端部４Ｒ裏面の粘着剤部９によって当該部分を重ねて圧着固定できるようになっている。
コイル状アンテナパターン３は帯状バンドの左側部分から中央部分にかけて形成され、非接触ＩＣチップ２が当該剥離層６面上でアンテナパターン３に装着されている。
【００１９】
図４（Ｂ）のように、バンド基材の一部には剥離層６が塗工されていて、アンテナパターンの一部と当該部分に装着したＩＣチップ２が当該剥離層上に位置するようにされている。バンドの右端部４Ｒの粘着剤部９を一度圧着してから剥離すると、粘着剤部９と剥離層６が接触するので、当該アンテナパターンの一部と非接触ＩＣチップ２が剥離して非接触通信機能を失うことになる。
図４（Ｃ）は、圧着固定した部分を外した状態であるが、アンテナパターンの一部と非接触ＩＣチップ２が剥離層６と共に破損するので非接触通信機能を失うことを示している。
【００２０】
【実施例】
図１、図３を参照して、本発明の実施例を説明する。
（実施例）
厚み２００μｍの合成紙（王子油化合成紙株式会社製「ユポＦＰＧ」）をバンド基材として、リストバンド型データキャリア１ａの製作を行った。
アンテナパターンの一部３Ｐであって使用後に破損させる部分に、当該バンド基材に対して剥離性のインキ（硝化綿系インキ）を用いて、直径１５ｍｍの剥離層６を楕円形に印刷した。
次に、導電性のシルクスクリーンインキを用いて、アンテナパターンの一部３Ｐが当該剥離層６の楕円形パターンの中心を通るように、コイル状アンテナパターン３の印刷を行った。アンテナパターンは線幅約０．８ｍｍとし、長さ１２０ｍｍ、幅２０ｍｍの面積内に５回巻きになるように印刷した。
【００２１】
このアンテナパターンの両端部に、２個のパッドが接触するようにして、厚み０．３ｍｍ、大きさ１ｍｍ角程度の非接触ＩＣチップ２を、異方導電性接着剤を用いて接着した（図１）。
このシートのアンテナ面に対して剥離層６とその周囲を除いて、厚み１５μｍの模様印刷済みフィルム（ポリプロピレンフィルム）をラミネートしてから、個々のリストバンド型データキャリアのサイズ（幅２５ｍｍ×長さ２３０ｍｍ）に切断した。さらに、リストバンド型データキャリア１ａを手首に装着する際の固定部分にセパレート紙付き両面粘着剤シート（幅２２ｍｍ×長さ３０ｍｍ）９を貼り付けした。
【００２２】
このリストバンド型データキャリア１ａを手首に巻き、粘着剤部９のセパレート紙を剥離して、粘着剤をリストバンドの他端であって、アンテナパターン３Ｐ部分に圧着して固定し、リストバンド型データキャリア１ａとして使用した。
使用済み後、リストバンド型データキャリア１ａを手首から取り外しすると、アンテナパターン３Ｐ部分が剥離して破損し、非接触通信をすることができなくなった（図３参照）。
【００２３】
【発明の効果】
上述のように本発明のリストバンド型データキャリアは、使用済み後、手首から取り外しすると、アンテナパターンの一部分が破損するか、ＩＣチップが剥離するため、非接触通信機能を失って使用できなくなる。
したがって、使用後に悪意で再使用することができず、不正使用を防止することができる。
【図面の簡単な説明】
【図１】リストバンド型データキャリアの第１実施形態を説明する図である。
【図２】同第２実施形態を説明する図である。
【図３】リストバンド型データキャリアの第１実施形態の使用状態を説明する図である。
【図４】同第２実施形態の使用状態を説明する図である。
【符号の説明】
１ａ，１ｂ  再利用不可能なリストバンド型データキャリア（リストバンド型データキャリア）
２    非接触ＩＣチップ
３    コイル状アンテナパターン
４    帯状バンド
６    剥離層
９    粘着剤層
【図１】
2005043978.tif 000003
【図２】
2005043978.tif 000004
【図３】
2005043978.tif 000005
【図４】
2005043978.tif 000006